(57)【要約】【課題】制御装置、および、廊下灯制御装置を複数備えることによって、制御装置、廊下灯制御装置が動作不可能となっても、システムとして機能することができるナースコールシステムを提供することを目的とする。【解決手段】病室内の複数のナースコール子機と、ナースコール子機からの呼出を表示し、応答通話を行うナースコール親機と、複数の廊下灯と、ナースコール動作を制御する主制御装置と、主制御装置による動作が不能となったときに動作する副制御装置で構成されており、廊下灯、主制御装置、ナースコール親機を接続する主通信線と、廊下灯、副制御装置、ナースコール親機を接続する副通信線を備え、主制御装置は、廊下灯、主制御装置、ナースコール親機間の主通信線で通信エラーが発生したとき、廊下灯、副制御装置、ナースコール親機間の副通信線を接続する制御装置切替手段を備えたことを特徴とする。【選択図】図１
2010200066.tif 000002
【特許請求の範囲】
【請求項１】
病室内の患者から呼び出し、および通話を行う複数のナースコール子機（１、１、・・・）と、前記ナースコール子機からの呼出を表示し、応答通話を行うナースコール親機（２）と、前記ナースコール子機と前記ナースコール親機を接続する複数の廊下灯（３、３、・・・）と、前記ナースコール親機および前記ナースコール子機の呼出、通話等のナースコール動作を制御する主制御装置（４ａ）と、主制御装置による動作が不能となったときに動作する副制御装置（４ｂ、・・・）で構成されており、
前記廊下灯、前記主制御装置、前記ナースコール親機を接続する主通信線と、前記廊下灯、前記副制御装置、前記ナースコール親機を接続する副通信線を備え、
前記主制御装置は、前記廊下灯、前記主制御装置、前記ナースコール親機間の主通信線で通信エラーが発生したとき、前記廊下灯、前記副制御装置、前記ナースコール親機間の前記副通信線を接続する制御装置切替手段を備えたことを特徴とするナースコールシステム。
【請求項２】
病室内の患者から呼び出し、および通話を行う複数のナースコール子機（１、１、・・・）と、前記ナースコール子機からの呼出を表示し、応答通話を行うナースコール親機（２）および前記ナースコール子機と前記ナースコール親機を接続するとともに患者情報等のナースコール情報を表示する表示部を有する複数の廊下灯（３、３、・・・）と、前記ナースコール親機および前記ナースコール子機の呼出、通話等のナースコール動作を制御する制御装置（４）と、前記廊下灯の表示部の表示動作を制御する主廊下灯制御装置（５ａ）と、主廊下灯制御装置による動作が不能となったときに動作する副廊下灯制御装置（５ｂ、・・・）で構成されており、
前記廊下灯、前記主廊下灯制御装置、前記制御装置を接続する主通信線と、前記廊下灯、前記副廊下灯制御装置、前記制御装置を接続する副通信線を備え、
前記主廊下灯制御装置は、前記廊下灯、前記主廊下灯制御装置、前記制御装置間の前記主通信線で通信エラーが発生したとき、前記廊下灯、前記副廊下灯制御装置、前記制御装置間の前記副通信線を接続する廊下灯制御装置切替手段を備えたことを特徴とするナースコールシステム。
【請求項３】
病室内の患者から呼び出し、および通話を行う複数のナースコール子機（１、１、・・・）と、前記ナースコール子機からの呼出を表示し、応答通話を行うナースコール親機（２）および前記ナースコール子機と前記ナースコール親機を接続するとともに患者情報等のナースコール情報を表示する表示部を有する複数の廊下灯（３、３、・・・）と、前記ナースコール親機および前記ナースコール子機の呼出、通話等のナースコール動作を制御する主制御装置（４ａ）と、主制御装置による動作が不能となったときに動作する副制御装置（４ｂ、・・・）と前記廊下灯の表示部の表示動作を制御する主廊下灯制御装置（５ａ）と、主廊下灯制御装置による動作が不能となったときに動作する副廊下灯制御装置（５ｂ、・・・）で構成されており、
前記廊下灯、前記主廊下灯制御装置、前記主制御装置、前記ナースコール親機を接続する主通信線と、前記廊下灯、前記副廊下灯制御装置、前記副制御装置、前記ナースコール親機を接続する副通信線と、前記主制御装置と前記副廊下灯制御装置を接続する主副通信線と、前記副制御装置と前記主廊下灯制御装置を接続する副主通信線を備え、
主制御装置は、前記廊下灯、前記主制御装置間の主通信線で通信エラーが発生したとき、前記廊下灯、前記副廊下灯制御装置間の前記主副通信線を接続する制御装置切替手段を備え、
主廊下灯制御装置は、前記前記ナースコール親機、前記主廊下灯制御装置間の主通信線で通信エラーが発生したとき、前記ナースコール親機、前記副制御装置間の副主通信線を接続する廊下灯制御装置切替手段を備えたことを特徴とするナースコールシステム。
【請求項４】
前記主制御装置、前記副制御装置と接続され、前記ナースコール親機と前記ナースコール子機間で呼出／通話を行うための設定情報、呼出履歴情報等のナースコール情報を記録する第１の記憶装置（８）を備え、
前記主制御装置および前記副制御装置は、制御装置切替手段にて通信線が自制御装置に切り替えられているとき、前記第１の記憶装置に記憶されているナースコール情報とのやり取りを行う制御装置情報取得手段を備えたことを特徴とする請求項１または請求項３記載のナースコールシステム。
【請求項５】
前記主廊下灯制御装置、前記副廊下灯制御装置と接続され、前記ナースコール親機と前記ナースコール子機間で呼出／通話を行うための設定情報、呼出履歴情報等のナースコール情報を記録する第２の記憶装置（９）を備え、
前記主廊下灯制御装置および前記副廊下灯制御装置は、廊下灯制御装置切替手段にて通信線が自廊下灯制御装置に切り替えられているとき、前記第２の記憶装置に記憶されているナースコール情報とのやり取りを行う廊下灯制御装置情報取得手段を備えたことを特徴とする請求項２または請求項３記載のナースコールシステム。
【請求項６】
複数の前記廊下灯間は前記主通信線と前記副通信線の両者によって接続されていることを特徴とするナースコールシステム。
【発明の詳細な説明】
【技術分野】
【０００１】
本発明は、ナースコールシステムに関し、特にナースコールシステムの信頼性を向上させることができるナースコールシステムに係わる。
【背景技術】
【０００２】
従来のナースコールシステムは、ナースコール親機と液晶廊下灯の間に、制御装置、廊下灯制御装置を設置することで構築されていた。例えば、特許文献１に示すように廊下灯に液晶画面を備えることによって、ナースコール子機から呼び出すときに液晶廊下灯で患者情報を確認することができるナースコールシステムが知られていた。
【先行技術文献】
【特許文献】
【０００３】
【特許文献１】特開２００５−３４８１４９
【発明の開示】
【発明が解決しようとする課題】
【０００４】
しかしながら、このようなナースコール装置では、制御装置、廊下灯制御装置は集中制御を行なっているため、いずれか１台が故障したときには、全システムが停止することになり、停止時間が長時間になると患者の生命に対しても危険が及ぶものであった。
【０００５】
本発明は、この難点を解決するためになされたもので、ナースコールシステムの制御を行っている制御装置、および、廊下灯制御装置を複数備えることによって、制御装置、廊下灯制御装置が動作不可能となっても、システムとして機能することができるナースコールシステムを提供することを目的とする。
【課題を解決するための手段】
【０００６】
上記課題を解決するために、請求項１に記載の発明は、病室内の患者から呼び出し、および通話を行う複数のナースコール子機と、ナースコール子機からの呼出を表示し、応答通話を行うナースコール親機と、ナースコール子機とナースコール親機を接続する複数の廊下灯と、ナースコール親機およびナースコール子機の呼出、通話等のナースコール動作を制御する主制御装置と、主制御装置による動作が不能となったときに動作する副制御装置で構成されており、廊下灯、主制御装置、ナースコール親機を接続する主通信線と、廊下灯、副制御装置、ナースコール親機を接続する副通信線を備え、主制御装置は、廊下灯、主制御装置、ナースコール親機間の主通信線で通信エラーが発生したとき、廊下灯、副制御装置、ナースコール親機間の副通信線を接続する制御装置切替手段を備えたことを特徴とする。
【０００７】
また、請求項２に記載の発明は、病室内の患者から呼び出し、および通話を行う複数のナースコール子機と、ナースコール子機からの呼出を表示し、応答通話を行うナースコール親機およびナースコール子機とナースコール親機を接続するとともに患者情報等のナースコール情報を表示する表示部を有する複数の廊下灯と、ナースコール親機およびナースコール子機の呼出、通話等のナースコール動作を制御する制御装置と、廊下灯の表示部の表示動作を制御する主廊下灯制御装置と、主廊下灯制御装置による動作が不能となったときに動作する副廊下灯制御装置で構成されており、廊下灯、主廊下灯制御装置、制御装置を接続する主通信線と、廊下灯、副廊下灯制御装置、制御装置を接続する副通信線を備え、主廊下灯制御装置は、廊下灯、主廊下灯制御装置、制御装置間の主通信線で通信エラーが発生したとき、廊下灯、副廊下灯制御装置、制御装置間の副通信線を接続する廊下灯制御装置切替手段を備えたことを特徴とする。
【０００８】
また、請求項３に記載の発明は、病室内の患者から呼び出し、および通話を行う複数のナースコール子機と、ナースコール子機からの呼出を表示し、応答通話を行うナースコール親機およびナースコール子機とナースコール親機を接続するとともに患者情報等のナースコール情報を表示する表示部を有する複数の廊下灯と、ナースコール親機およびナースコール子機の呼出、通話等のナースコール動作を制御する主制御装置と、主制御装置による動作が不能となったときに動作する副制御装置と廊下灯の表示部の表示動作を制御する主廊下灯制御装置と、主廊下灯制御装置による動作が不能となったときに動作する副廊下灯制御装置で構成されており、廊下灯、主廊下灯制御装置、主制御装置、ナースコール親機を接続する主通信線と、廊下灯、副廊下灯制御装置、副制御装置、ナースコール親機を接続する副通信線と、主制御装置と副廊下灯制御装置を接続する主副通信線と、副制御装置と主廊下灯制御装置を接続する副主通信線を備え、主制御装置は、廊下灯、主制御装置間の主通信線で通信エラーが発生したとき、廊下灯、副廊下灯制御装置間の主副通信線を接続する制御装置切替手段を備え、主廊下灯制御装置は、ナースコール親機、主廊下灯制御装置間の主通信線で通信エラーが発生したとき、ナースコール親機、副制御装置間の副主通信線を接続する廊下灯制御装置切替手段を備えたことを特徴とする。
【０００９】
また、請求項４に記載の発明は、主制御装置、副制御装置と接続され、ナースコール親機とナースコール子機間で呼出／通話を行うための設定情報、呼出履歴情報等のナースコール情報を記録する第１の記憶装置を備え、主制御装置および副制御装置は、制御装置切替手段にて通信線が自制御装置に切り替えられているとき、第１の記憶装置に記憶されているナースコール情報とのやり取りを行う制御装置情報取得手段を備えたことを特徴とする。
【００１０】
また、請求項５に記載の発明は、主廊下灯制御装置、副廊下灯制御装置と接続され、ナースコール親機とナースコール子機間で呼出／通話を行うための設定情報、呼出履歴情報等のナースコール情報を記録する第２の記憶装置を備え、主廊下灯制御装置および副廊下灯制御装置は、廊下灯制御装置切替手段にて通信線が自廊下灯制御装置に切り替えられているとき、第２の記憶装置に記憶されているナースコール情報とのやり取りを行う廊下灯制御装置情報取得手段を備えたことを特徴とする。
【００１１】
また、請求項６に記載の発明は、複数の廊下灯間は主通信線と副通信線の両者によって接続されていることを特徴とする。
【発明の効果】
【００１２】
請求項１の発明によれば、制御装置を複数台備えることによって、低コストで信頼性の高いナースコールシステムが構築できる。
請求項２の発明によれば、廊下灯制御装置を複数台備えることによって、低コストで信頼性の高いナースコールシステムが構築できる。
請求項３の発明によれば、制御装置、廊下灯制御装置を複数台備えることによって、低コストで信頼性の高いナースコールシステムが構築できる。
請求項４の発明によれば、主制御装置が動作不可能となったときでも、副制御装置で設定情報のやり取りを行うことができるため、低コストで信頼性の高いナースコールシステムが構築できる。
請求項５の発明によれば、主廊下灯制御装置が動作不可能となったときでも、副廊下灯制御装置で設定情報のやり取りを行うことができるため、低コストで信頼性の高いナースコールシステムが構築できる。
請求項６の発明によれば、廊下灯との通信が不能となった場合にでも手動で配線を切り替えることができるため、低コストで信頼性の高いナースコールシステムが構築できる。
【図面の簡単な説明】
【００１３】
【図１】本発明にかかるナースコールシステムの実施例を示すシステム構図である。
【発明を実施するための形態】
【００１４】
以下、本発明によるナースコールシステムを適用した好ましい形態の実施例について、図１を参照して説明する。このナースコールシステムは、看護師と通話を行うためのナースコール子機１、１、・・・と、患者と通話するためのナースコール親機２と、ナースコール子機１、１、・・・から呼出があったとき患者情報を表示する表示部３１を備えた廊下灯３、３、・・・と、ナースコール子機１、１、・・・とナースコール親機２の呼出／通話制御を行う主制御装置４ａと、主制御装置４ａによる動作が不能となったときに動作する副制御装置４ｂ、・・・と、廊下灯３、３、・・・の表示部３１に患者情報を表示させる制御を行う主廊下灯制御装置５ａと、主廊下灯制御装置５ａによる動作が不能となったときに動作する副廊下灯制御装置５ｂ、・・・と、主制御装置４ａ、副制御装置４ｂ、・・・と接続された第１の記憶装置６と、主廊下灯制御装置５ａ、副廊下灯制御装置５ｂ、・・・と接続された第２の記憶装置７とで構成されている。
【００１５】
このようなナースコールシステムにおいて、動作説明を行う。まずは、通常のナースコール子機１からの呼出、通話を説明し、このような使用状態において、主廊下灯制御装置５ａに異常が発生したときについて説明する。
通常時においては、数分間隔で主制御装置４ａからナースコール親機２、主廊下灯制御装置５ａおよび廊下灯３、３、・・・へ点検信号が送られる。ナースコール親機２、主廊下灯制御装置５ａおよび廊下灯３、３、・・・、・・・は、点検信号に対して返信することにより、主制御装置４ａは各機器の正常動作を確認する。
ナースコール子機１にて呼出操作されると、呼出信号は、廊下灯３、主廊下灯制御装置５ａを経て、主制御装置４ａに送信される。これを受けた主制御装置４ａは呼出内容を確認し、呼出可能な状態であることを確認すると、呼出指示信号をナースコール親機２、および主廊下灯制御装置５ａへ送る。ナースコール親機２は、主制御装置４ａからの呼出指示信号を受信すると呼出音を鳴動する。このとき、呼出指示信号を受信した主廊下灯制御装置５ａは、呼出信号を送付したナースコール子機１に対応する廊下灯３の表示部３１に対して、映像表示信号を送出する。
なお、呼び出しを行った履歴、設定内容等のナースコール情報は主制御装置４ａから第１の記憶装置６へ、主廊下灯制御装置５ａから第２の記憶装置７へ記録される。その後、ナースコール親機２にて通話操作を行うと、ナースコール親機２とナースコール子機１の間で双方向通話が行われる。
【００１６】
このような使用状態において、主廊下灯制御装置５ａに異常が発生したときの第１の実施例を説明する。
主廊下灯制御装置５ａに異常が発生したとき、主制御装置４ａは点検信号に対して返信がないことから、主廊下灯制御装置５ａに異常があることを認識する。
主廊下灯制御装置５ａの異常を認識した主制御装置４ａは、主制御装置４ａから副制御装置４ｂへ制御装置切替信号を送信し、副制御装置４ｂを経由する副通信線を電気的に接続し、主制御装置４ａに接続される主通信線を電気的に切り離す。このとき、副制御装置４ｂは第１の記憶装置６から、副廊下灯制御機５ｂは第２の記憶装置７からナースコール情報を読み出し、主制御装置４ａ、主廊下灯制御装置５ａの機能を引き継いで動作を開始する。
【００１７】
次に、主廊下灯制御装置５ａに異常が発生したときの第２の実施例を説明する。
主液晶制御装置５ａの異常を認識した主制御装置４ａは、主制御装置４ａから副廊下灯制御装置５ｂへの主副通信線を電気的に接続し、主制御装置４ａから主廊下灯制御装置５ａへの主通信線を電気的に切り離すことにより、表示部３１の制御を副廊下灯制御装置５ｂへ切り替える。主制御装置４ａと電気的に接続された副廊下灯制御装置５ｂは、廊下灯３への副通信線を電気的に接続し、第２の記憶装置８からナースコール情報を読み出し、主廊下灯制御装置５ａの機能を引き継いで動作を開始する。
【００１８】
また主制御装置４ａに異常が発生したときの第１の実施例を説明する。
主制御装置４ａに異常が発生したとき、主廊下灯制御装置５ａは主制御装置４ａからの点検信号がないことから、主制御装置４ａに異常があることを認識する。
主制御装置４ａの異常を認識した主廊下灯制御装置５ａは、主廊下灯制御装置５ａから副廊下灯制御装置５ｂへ制御装置切替信号を送信し、副廊下灯制御装置５ｂを経由する副通信線を電気的に接続し、主廊下灯制御装置５ａに接続される主通信線を電気的に切り離す。このとき、副制御装置４ｂは第１の記憶装置６から、副廊下灯制御機５ｂは第２の記憶装置７からナースコール情報を読み出し、主制御装置４ａ、主廊下灯制御装置５ａの機能を引き継いで動作を開始する。
【００１９】
次に、主制御装置４ａに異常が発生したときの第２の実施例を説明する。
主制御装置４ａの異常を認識した主廊下灯制御装置５ａは、主廊下灯制御装置５ａから副制御装置４ｂへの副主通信線を電気的に接続し、主廊下灯制御装置５ａから主制御装置４ａへの主通信線を電気的に切り離すことにより、ナースコールシステムの制御を副廊下灯制御装置５ｂへ切り替える。主廊下灯制御装置５ａと電気的に接続された副制御装置４ｂは、ナースコール親機２への副通信線を電気的に接続し、第１の記憶装置７からナースコール情報を読み出し、主制御装置４ａの機能を引き継いで動作を開始する。
【００２０】
また、ナースコール親機２、主制御装置４、主廊下灯制御装置５、廊下灯３の何れかに異常が発生したとき、主通信線または副通信線を手動で切り替えることができる。
いずれかの機器が異常となったとき、第１の実施例のような点検信号の不達、あるいは呼出信号の不達によって機器の異常が検出されたとき、ナースコール親機２または廊下灯３にて通信異常表示を行なう。
例えば、複数ある廊下灯３の内の一つが異常となったとき、主廊下灯制御装置５ａが異常を認識し、ナースコール親機２に異常を表示し、この通信異常表示を確認した使用者は、コネクタのつけ外し等で通信線を手動で切り替え、主通信線から副通信線に接続を切り替えるとともに故障した廊下灯を切り離して動作を開始することができる。
【符号の説明】
【００２１】
１・・・         ナースコール子機
２・・・         ナースコール親機
３・・・      廊下灯
４ａ・・・    主制御装置
４ｂ・・・    副制御装置
【図１】
2010200066.tif 000003